(57)【要約】カラー表示装置は、電子銃、表示スクリーン、平坦なカラー選択電極及び偏向手段を有する。電子ビーム間の距離を動的に変化させ、これにより、電子ビームを少なくとも１つの方向に偏向させて、偏向空間の距離を減少させる。この距離の減少によって、カラー選択電極と表示スクリーンとの間の距離を前記の方向に増大させることができる。その結果として、カラー選択電極の内面の曲率を増大させることができ、このことによって、カラー選択電極の強度及びドーミング特性に良い影響を与える。このことは、１つの動的電圧を第１及び第２動的電圧電極に印加することによって達成される。
2004516620.tif 000002
【特許請求の範囲】
【請求項１】
３つの電子ビームを発生させるインライン型電子銃と、カラー選択電極と、表示窓の内面に設けられた蛍光体スクリーンとを有するカラー陰極線管と、前記電子ビームを前記カラー選択電極に亙って偏向させる偏向手段とを有するカラー表示装置であって、このカラー表示装置が、偏向面における電子ビーム間の距離を少なくとも１つの方向の偏向の関数として減少させるように前記電子ビームの経路に動的に影響を及ぼす手段を有し、これら手段が、前記電子ビーム間の距離に動的に影響を及ぼす第１手段及び第２手段を有し、これら第１及び第２手段は、互いにある距離だけ離れて位置し、これら第１及び第２手段の作用が反対符号を有するカラー表示装置において、前記電子銃が、一定電圧の少なくとも２つのプレフォーカス電極を有するプレフォーカス部と、アノード電圧の少なくとも主レンズ電極を有する主レンズ部と、前記プレフォーカス部と前記主レンズ電極との間に配置されたアノード電圧の一定集束電圧部とを有し、前記電子銃が、第２プレフォーカス電極と前記一定集束電圧部との間に第１動的電圧電極を有し、前記一定集束電圧部とアノード電圧の前記主レンズ電極との間に第２動的電圧電極を有し、これら第１及び第２動的電圧電極が電気的に相互接続され、前記カラー表示装置が、１つの動的電圧を前記第１及び第２動的電圧電極に印加する手段を有して、前記偏向面における電子ビーム間の距離に動的に影響を及ぼす前記第１及び第２手段を形成し、しかも前記第２手段が前記主レンズ部の集束及び収差に動的に影響を及ぼすようになっていることを特徴とするカラー表示装置。
【請求項２】
請求項１に記載のカラー表示装置において、前記蛍光体（表示）スクリーンが、長軸及び短軸を有する長方形であって、少なくとも１つの方向が前記長軸に一致していることを特徴とするカラー表示装置。
【請求項３】
請求項２に記載のカラー表示装置において、ライン偏向が、前記短軸に一致する方向に沿って行なわれることを特徴とするカラー表示装置。
【請求項４】
請求項１に記載のカラー表示装置において、前記蛍光体（表示）スクリーンが、長軸及び短軸を有する長方形であって、少なくとも１つの方向が前記短軸に一致していることを特徴とするカラー表示装置。
【請求項５】
請求項１に記載のカラー表示装置において、印加される前記動的電圧が、短軸及び長軸に沿った偏向に一致する成分を有し、前記主レンズ部に直接に印加され、前記第１及び第２動的電圧電極間の電気接続に前記カラー陰極線管内の低域通過フィルタが含まれていることを特徴とするカラー表示装置。
【請求項６】
請求項１に記載のカラー表示装置において、前記電子銃が、前記第１動的電圧電極と前記プレフォーカス部の一定電圧の前記第２プレフォーカス電極との間に配置された中間電極であってこの中間電極が、動作中、前記一定集束電圧部と同じ電位にある当該中間電極と、この中間電極と前記第１動的電圧電極と前記一定集束電圧部との間に形成される複数の、ピッチに影響を及ぼす手段とを有することを特徴とするカラー表示装置。
【発明の詳細な説明】
【０００１】
本発明は、３つの電子ビームを発生させるインライン型電子銃と、カラー選択電極と、表示窓の内面に設けられた蛍光体スクリーンとを有するカラー陰極線管と、前記電子ビームを前記カラー選択電極に亙って偏向させる偏向手段とを有するカラー表示装置であって、このカラー表示装置が、偏向面における電子ビーム間の距離を少なくとも１つの方向の偏向の関数として減少させるように前記電子ビームの経路に動的に影響を及ぼす手段を有し、これら手段が、前記電子ビーム間の距離に動的に影響を及ぼす第１手段及び第２手段を有し、これら第１及び第２手段は、互いにある距離だけ離れて位置し、これら第１及び第２手段の作用が反対符号を有するカラー表示装置に関するものである。
【０００２】
このような表示装置は国際公開パンフレットＷＯ９９／３４３９２から既知である。
陰極線管表示装置の製造業者の一般的な目的は、表示窓の外面をより平坦にして、カラー表示装置によって表示された画像が視聴者によって、平坦なものとして認識されるようにすることにある。しかし、表示装置の外面の曲率半径の増大は多くの問題を生じせしめる。表示窓の内面の曲率半径及びカラー選択電極の曲率半径をも増大させる必要があり、カラー選択電極が平坦になるにつれて、カラー選択電極の強度は減少し、従って、ドーミング及び振動に対する感度が増大する。この問題の実行可能な解決策は、表示窓の内面をその外面よりも著しく湾曲させるということである。これによって、曲率半径が比較的小さい（すなわち、曲率が大きい）シャドーマスクを用いることができる。その結果として、ドーミング及び振動に関する問題が軽減される。しかし、その代わりに他の問題が生じる。中央における表示窓の厚みがエッジにおける表示窓の厚みよりも著しく薄くなる。その結果として、表示窓の重量が増大し、画像の強度が、エッジに向かってかなり減少する。
【０００３】
これらの問題の部分的な解決策は国際公開パンフレット９９／３４３９２に述べられており、この国際公開パンフレットには、偏向面における電子ビーム間の距離を少なくとも１つの方向の偏向の関数として減少させるように電子ビームの経路に動的に影響を及ぼす手段を有するカラー表示装置が記載されている。
【０００４】
これら手段によって、偏向が増大すると偏向面での電子ビーム間の距離（“銃ピッチ”とも称する）が減少するようにこの距離を動的に変化させることができる。この距離を、偏向の関数として、従って、ｘ座標軸及びｙ座標軸の双方又はいずれか一方の関数として動的に変化させることによって、表示窓及びカラー選択電極間の距離を関連の偏向方向に増大させることができる。表示窓の内面の形状と、表示窓とカラー選択電極との間の距離とは、カラー選択電極の形状特に曲率を決定する。偏向面内の電子ビーム間の距離は偏向の関数として減少するので、表示窓とカラー選択電極との間の距離は増大し、既知の陰極線管よりもカラー選択電極の形状を表示窓の内面の形状から逸らすことができ、特に、曲率を増大させることができる。
【０００５】
既知のピッチ制御手段は、互いにある距離だけ離れて位置する第１及び第２ピッチ制御手段を有する。これら手段の一方は、外側電子ビーム間の距離を偏向の関数として増大させ、他方は反対の効果を生じさせる。２つのピッチ制御手段を用いることによって、ピッチの変化を良好に制御でき、偏向面のピッチに影響を及ぼして、電子ビームのコンバーゼンスを良好に制御できる。国際公開パンフレット９９／３４３９２に示す例では、第１及び第２ピッチ制御手段は電子銃の一部分によって形成され、動作中、２つの動的四重極電界を発生させる。電界Ｑ２はグリッドＧ２及びＧ３間に形成され、電界Ｑ１は主レンズ電極間に形成される。
【０００６】
この既知の解決策では部分的な解決が得られるが、問題が残る。特に、別々の動的電圧を、Ｇ２又はＧ３電極のどちらかに印加する必要がある。動的電圧の印加には、この効果に寄与する別々のリードスルー及び別々の電源が必要となる。しかし、この解決策を導入するにあたって、追加の費用及び複雑性が障害になる。
【０００７】
本発明の目的はこの障害を少なくとも部分的に取除くことにある。
この目的のため、本発明による表示装置は、前記電子銃が、一定電圧の少なくとも第１及び第２プレフォーカス電極を有するプレフォーカス部と、アノード電圧の少なくとも主レンズ電極を有する主レンズ部と、前記プレフォーカス部と前記主レンズ電極との間に配置されたアノード電圧の一定集束電圧部とを有し、前記電子銃が、前記第２プレフォーカス電極と前記一定集束電圧部との間に第１動的電圧電極を有し、前記一定集束電圧部とアノード電圧の前記主レンズ電極との間に第２動的電圧電極を有し、これら第１及び第２動的電圧電極が電気的に相互接続され、前記カラー表示装置が、１つの動的電圧を前記第１及び第２動的電圧電極に印加する手段を有して、前記偏向面における電子ビーム間の距離に動的に影響を及ぼす前記第１及び第２手段を形成し、しかも前記第２手段が前記主レンズ部の集束及び収差に動的に影響を及ぼすようになっていることを特徴とする。
【０００８】
従って、ただ１つの動的電圧が、集束及び収差を動的に（すなわち、偏向の関数として）制御し（このような制御手段を有する銃は、特に高品質の装置に用いられる）、銃ピッチを動的に制御するのに用いられる。この１つの動的電圧は、設計において重要な変更を必要とせず、つまり、追加の余分なフィードスルー及び電源を必要とせず、この１つの動的電圧の使用は製造業者に周知である。
【０００９】
ある例では、表示スクリーンは長軸及び短軸を有する長方形であり、少なくとも１つの方向は長軸に一致する。この場合、１つの動的信号は、長軸に沿った偏向に一致する（偏向の関数である）成分を有する。標準の表示管では、この成分はライン（高速）方向である。このような例は、標準の表示管（すなわち、ライン方向が長軸に一致する表示管）において好ましく、この表示管では、ＤＡＦ（ｄｙｎａｍｉｃ ａｓｔｉｇｍａｔｉｓｍ ａｎｄ ｆｏｃｕｓｉｎｇ；動的集束及び収差）に対する必要性は比較的大きいが、銃ピッチ変化に対する必要性は比較的小さい。標準の表示管では、ＤＡＦ補正に対する必要性はしばしば、長軸（ライン毎の軸線）に沿って大きく、銃ピッチ変化に対する必要性は短軸（フレーム毎の軸線）に沿って大きい。他の好適な例では、少なくとも１つの方向は長軸に一致し、ライン偏向（高速周波数偏向）は、短軸に一致する方向に沿って行なわれる。（走査方向が転換されるいわゆる転換走査の）このような表示管では、ＤＡＦ補正及び銃ピッチ変化の双方に対する必要性は、これら転換走査の表示管で低速のフレーム毎の軸線に一致する長軸に沿って最も大きい。従って、このような転換走査の表示管では、本発明を、極めて有利に用いることができる。その理由は、銃ピッチ変化（ＧＰＭ；ｇｕｎ ｐｉｔｃｈ ｍｏｄｕｌａｔｉｏｎ）と動的集束及び収差（ＤＡＦ）との双方は主としてフレーム毎に行なわれ、つまり、主として、低速のフレーム方向での偏向、すなわち長軸に沿った偏向に依存するためである。
【００１０】
他の例では、表示スクリーンは長軸及び短軸を有する長方形であり、少なくとも１つの方向は短軸に一致する。このような例は、標準の表示管（すなわち、ライン（高速）方向が長軸に一致する表示管）において好ましく、この表示管では、ＤＡＦに対する必要性は比較的小さいが、銃ピッチ変化に対する必要性は比較的中位である。
【００１１】
更なる他の例では、印加される動的電圧は、短軸及び長軸に沿った偏向に一致する成分を有し、主レンズに直接に印加され、第１及び第２動的電圧電極間の電気接続には表示管内部の低域通過フィルタが含まれる。この場合、動的収差及び集束補正は短軸及び長軸の双方に沿って行なわれ、一方、銃ピッチ変化は長軸に沿って行なわれる。
【００１２】
電子銃が、第１動的電圧電極とプレフォーカス部の一定電圧の第２プレフォーカス電極との間に配置された中間電極であってこの中間電極が、動作中、一定集束電圧部と同じ電位にある当該中間電極と、この中間電極と第１動的電圧電極と一定集束電圧部との間に形成される複数の、ピッチに影響を及ぼす手段とを有するのが好ましい。
【００１３】
第１の動的電圧手段は２つ又はそれ以上の副手段に分割されている。一定集束電圧部より前の複数の、ピッチに影響を及ぼす手段を用いることによって、電子ビームの偏向点を制御することができ、特に、この偏向点を、電子ビームのクロスオーバー点とほぼ一致するように固定させるのが好ましい。
【００１４】
主レンズは電子ビームのクロスオーバーをスクリーン上で結像させる。クロスオーバー（被写体）のビーム角度の変化は、スクリーン上の電子ビームのコンバーゼンス（画像）を変化させない。従って、偏向点をクロスオーバー又はその付近に位置させることによって、第２の手段によって行なわれる補正はわずかで足りる。
【００１５】
本発明の上述した目的及びその他の目的は、以下の実施例に関する説明から明らかとなるであろう。
図面は実際のものに正比例させて描いていない。図中、同一の符号は一般に、同様な部分を示す。
【００１６】
表示装置は陰極線管を、この例ではカラー表示管を具え、この表示管は、排気されたエンベロープ１を有し、このエンベロープは表示窓２とコーン部３とネック部４とを具える。ネック部４には、３つの電子ビーム６、７及び８を発生させる電子銃５が収容され、これら電子ビームは、一平面であるインライン平面に延在し、この場合、インライン平面は図面の平面に存在する。非偏向状態では、中央の電子ビーム７は表示管の軸線９とほぼ一致する。表示窓の内面には表示スクリーン１０が設けられている。この表示スクリーン１０は、赤色、緑色及び青色で発光する多数の蛍光体素子を有する。電子ビームは、表示スクリーンに向かう途中で電磁偏向ユニット５１によって表示スクリーン１０に亙って偏向され、表示窓２の前方に配置され且つ孔１２の空いた薄板を有するカラー選択電極１１を通過する。３つの電子ビーム６、７及び８は、互いに関連し合うわずかな角度でカラー選択電極の孔１２を通過し、従って、各電子ビームは一色の蛍光体素子上にのみ衝突する。
【００１７】
偏向ユニット５１は、コイル保持器１３以外に、２つの互いに直交する方向に電子ビームを偏向するコイル１３’を有する。表示装置は更に、電圧を発生させる手段を有し、この電圧は、動作中、フィードスルーを介して電子銃の構成要素に供給される。偏向面２０と、この偏向面内の電子ビーム６及び８間の距離Ｐｇｄと、カラー選択電極及び表示スクリーン間の距離ｑとを線図的に示す。表示装置には、電圧を、ネック部内のフィードスルーを介して電子銃５に印加させる手段１５が設けられている。
【００１８】
カラー表示装置は２つの手段１４及び１４’を有し、手段１４は、動作中、最外側の電子ビーム６及び８を、互いに離れるように動的に、すなわち一方向の偏向の関数として屈曲させるのに用いられ、他の手段１４’は最外側の電子ビームを、対向する方向に動的に屈曲させるのに用いられる。
【００１９】
これらの効果を図１に線図的に示す。偏向面（偏向ユニット５１のほぼ中心に位置する面２０）では、３つの電子ビーム６、７及び８は距離Ｐｇｄだけ互いに分離される。カラー選択電極１２と表示スクリーン１０との間の距離ｑは距離Ｐｇｄに反比例する。式では、このことを次のとおりに表わすことができる。すなわち、
ｑ＝ＣＰｇｄ−１
ここで、Ｃは定数である。
【００２０】
従って、距離Ｐｇｄを偏向の関数として減少させることによって、この距離Ｐｇｄの減少に応じて距離ｑを増大させることができる。このことによって、シャドーマスクを表示窓の内面よりも湾曲させる（すなわち、曲率半径を小さくする）ことができる。
【００２１】
図１に示す本発明の実施例によるカラー表示装置は、２つの手段（１４，１４’）を有し、これら手段は、互いにある距離だけ離れて位置し、距離Ｐｇｄを偏向の関数として、この距離Ｐｇｄが少なくとも１つの方向の偏向の関数として減少するように変化させるのに用いられる。これら手段の各々は電子銃内で一体化されている。
【００２２】
この効果を図２及び３に示す。図２に、手段１４及び１４’を用いないカラー表示装置を示す。偏向ユニット５１の位置における電子ビーム間の距離は偏向の関数として変化しない。図３では、手段１４及び１４’はこの距離を変化させる、すなわち、手段１４が電子ビームを、互いに離れるように屈曲させ、手段１４’が電子ビームを、対向する方向に屈曲させる。例えばスクリーンの隅部（北及び北東）では、電子ビームが少しも偏向されないが、これに反して、スクリーンの中心では最も偏向されるように、手段１４によるこの外向きの偏向は偏向の関数として制御される。その結果として、電子ビーム間の距離（ピッチ）は、偏向面（偏向ユニット５１のほぼ中心面）の中心で最も長く、北及び北東で最も短くなる。従って、ピッチは、偏向の関数として、スクリーンの中心から隅部に向かって減少する。距離Ｐｇｄが減少するので、距離ｑは増大しうる。距離ｑの増大によって、カラー選択電極１１の曲率を増大させることができる。このことは、カラー選択電極１１の強度及びドーミング特性に良い影響を与える。
【００２３】
本発明によれば、手段１４及び１４’を電子銃５内で一体化させる。電極の２つ又はそれ以上の孔の間に動的な電圧差を発生させ、これら電極の孔の中心線を、互いに関連するように移動させることによって、電子ビームの移動方向に対して直角に（ｘ方向に）成分を有する電界を発生させて、電子ビームを互いの方向に移動させることができる。手段１４及び１４’は主レンズ部（ＭＬ）の前方で一体化される。手段１４は電子銃のプレフォーカス部（ＰＦ）で一体化される。電極の孔の中心線を互いに関連して移動させた結果として、動作中、電極間に発生した電界は、最外側電極の伝搬方向に対して直交する成分を有し、電子ビームのコンバーゼンスがこの影響を受ける。電極間に印加された電圧の動的成分によって、コンバーゼンスを動的に適応させ、これにより、本実施例の電子銃のプレフォーカス部で、このプレフォーカス部内の電子ビームが、偏向の関数として互いの方向に移動する。他の手段１４’は電子銃内の主レンズの前方で一体化され、主レンズには動的電圧が印加される。
【００２４】
図４に、銃ピッチＰｇｄ（すなわち、偏向ユニットの偏向面９１における中央ビームと外側ビームとの間の距離）と、スクリーンピッチＰｓｃ（すなわち、スクリーン１０における中央ビームと外側ビームとの間の距離）と、偏向面及びスクリーン間の距離Ｌと、シャドーマスク及びスクリーン間の距離ｑとの関係を示す。電子銃を離れるにつれて、３つの電子ビーム６、７及び８はスクリーン１０上で集束される。所定のスクリーンピッチＰｓｃ及び所定の距離Ｌの場合、銃ピッチＰｇｄが減少すると、距離ｑが増大することを図４に示す。数学的に、この関係は、
ｑ＝（Ｐｓｃ×Ｌ）／（３×Ｐｇｄ＋Ｐｓｃ）
によって与えられる。従って、銃ピッチＰｇｄを偏向の関数として変化させることによって、シャドーマスク及びスクリーン間の距離ｑをスクリーン上の各点に対して変化させることができ、カラー選択電極が追加の曲率を得ることができる。
【００２５】
図５に、本発明による表示装置用電子銃を線図的に示す。この電子銃はプレフォーカス部ＰＦを有し、このプレフォーカス部は少なくとも、各々が一定電圧ＶＧ１及びＶＧ２（これら電圧ＶＧ１及びＶＧ２は同一である必要はなく、通常、これら電圧は同一ではなく、本発明の概念の“一定”とは“偏向に依存しないこと”を意味する）の第１プレフォーカス電極（Ｇ１）及び第２プレフォーカス電極（Ｇ２）と、（一定すなわち不動的電圧Ｖｆｏｃ の）一定集束電圧部Ｇｆｏｃ と、アノード電圧Ｖａ の電極Ｇａ を有する主レンズ部ＭＬとを具える。電極ＧＤＡＦ は前記電極Ｇａ と一定集束電圧部との間に配置されており、動作中、この電極ＧＤＡＦ には動的電圧Ｖｄｙｎ が供給される。この電極ＧＤＡＦ （より正確には、この電極ＧＤＡＦ に印加される動的電圧Ｖｄｙｎ ）は主レンズ部ＭＬの集束と収差とに影響を及ぼす。電極ＧＤＡＦ は、第２プレフォーカス電極Ｇ２と一定集束電圧部Ｇｆｏｃ との間に配置されている電極ＧＤＢＦ に電気接続されている。それぞれの電極に印加される電圧をＶｄｙｎ （動的電圧）、Ｖｆｏｃ （一定集束電圧）及びＶａ （アノード電圧）によって図面に線図的に示す。スクリーンの中心（Ｃ）及び東（Ｅ）に対するこれら電圧値の例（これらは例示であって、これらに限定されない）をも示す。
【００２６】
（先の図面の手段１４に対応する）電子銃のピッチに影響を及ぼす第１の手段１４はＧＤＢＦ とＧｆｏｃ との間に形成される。第２の手段１４’はＧｆｏｃ とＧＤＡＦ との間に形成される。この例では、東及び北東（スクリーンの左側への偏向）に対して（同じことが西に対しても適用できる）、ＶＤＢＦ ＝Ｖｆｏｃ 、従って、外側（赤色及び青色）ビームは、第１の手段及び第２の手段の双方を通常通り（図中、破線“Ｅ”で示すように）通過する。スクリーンの中心（Ｃ）に対して、ＶＤＢＦ はＶｆｏｃ よりも低い、従って、赤色及び青色ビームは第１の手段によって外側へ屈曲され、第２の手段によって内側へ屈曲される。その結果として、外側ビーム間の距離は左側Ｅよりも中心Ｃで長くなるので、距離Ｐｇｄは偏向の関数として減少し、これにより、距離ｑは増大する。本発明の利点は、動的電圧Ｖｄｙｎ が、２つの別々の機能すなわち、（主レンズ及びその真正面での）集束及び収差の動的制御と、銃ピッチの動的制御とに配慮するということである。これによって、比較的高い品質の画像を生じさせることができ、その上、設計は比較的簡単で、その組み立ても製造業者によって比較的熟知されている。ＤＡＦの電子銃は、特にモニタ用の陰極線管のガンマを高くする目的で用いられる。このことは、いかなる新規な設計も既存の装置とかなりの程度互換性を有することを製造業者がしばしば要求するので重要である。
【００２７】
図５に、２つの単独の手段を用いている実施例を示す。外側電子ビーム間の距離（偏差）の最初の変化は、手段１４のＧＤＢＦ とＧｆｏｃ との間に位置で生じるということに留意すべきである。クロスオーバーでは、これら最初の偏差は生じないので、コンバーゼンス誤差は導入されない。偏差（図面の破線“Ｃ”）のため、３つのビームは同一のスクリーン位置に到達しない。ミスコンバーゼンス量はしばしば、図面で線図的に示すフリーフォール誤差（ＦＦＥ；ｆｒｅｅ−ｆａｌｌ ｅｒｒｏｒ）と称される。このコンバーゼンス誤差は、Ｇｆｏｃ とＧＤＡＦ との間の第２の手段１４’によって殆ど補正される。偏差は、対向する電極の孔のずれに依存し、第１の手段によって導入されたＦＦＥが第２の手段によって補償されるように偏差を選択することができる。ＦＦＥは補正されるが、それでも、第２の手段による補正が比較的小さい（これにより、第２の手段１４’の孔のずれが比較的小さくなる）ことが有利である。
【００２８】
図６Ａに、本発明の好適な実施例を示す。この実施例では、一定集束電圧の中間電極ＧＩＮＴ がＧ２ とＧＤＢＦ との間に配置されている。従って、第１の手段は２つの手段１４ａ及び１４ｂに分割されている。偏差点はクロスオーバーＣＯ付近に位置し、これによって、ＦＦＥが小さくなり、従って、第２の手段による補正が小さくなる。このことは、図６Ａで、ＦＦＥが小さくなっていることによって示されている。
【００２９】
種々の実施例は本発明の範囲に含まれる。ある実施例では、表示スクリーンは、長軸及び短軸を有する長方形であり、少なくとも１つの方向は長軸に一致する。この場合、１つの動的信号Ｖｄｙｎ は、長軸に沿った偏向に一致する（偏向の関数である）成分を有する。標準の表示管では、この成分はライン（高速）方向である。このような実施例は、標準の表示管（すなわち、ライン方向が長軸に一致する表示管）において好ましく、この表示管では、ＤＡＦに対する必要性が比較的大きいが、銃ピッチ変化に対する必要性は比較的小さい。標準の表示管では、ＤＡＦ補正に対する必要性は一般に、長軸（ライン軸線）に沿って大きく、銃ピッチ変化に対する必要性は短軸（フレーム軸線）に沿って大きい。他の好適な実施例では、少なくとも１つの方向が長軸に一致し、ライン偏向（高速周波数偏向）は、短軸に一致する方向に沿って行なわれる。（走査方向が転換されるいわゆる転換走査の）このような表示管では、ＤＡＦ補正及び銃ピッチ変化の双方に対する必要性は長軸すなわち低速のフレーム方向に沿って最も大きい。従って、このような転換走査の表示管では、本発明の上述の実施例を、極めて有利に用いることができる。
【００３０】
他の実施例では、表示スクリーンは、長軸及び短軸を有する長方形であり、少なくとも１つの方向は短軸に一致する。このような実施例は、標準の表示管（すなわち、ライン方向が長軸に一致する表示管）において好ましく、この表示管では、ＤＡＦに対する必要性が比較的小さいが、銃ピッチ変化に対する必要性は比較的中位である。
【００３１】
更なる他の実施例では、印加される動的電圧は、短軸及び長軸に沿った偏向に一致する成分を有し、主レンズに直接に印加され、第１及び第２動的電圧電極間の電気接続には表示管内部の低域通過フィルタが含まれる。この場合、動的収差及び集束補正は短軸及び長軸の双方に沿って行なわれ、一方、銃ピッチ変化は長軸に沿って行なわれる。
【００３２】
このような実施例を図６Ｂに線図的に示す。単一の動的電圧Ｖｄｙｎ はＧＤＡＦ に直接に印加される。ＧＤＡＦ は内部（すなわち表示管内）の低域通過フィルタ６１を介してＧＤＢＦ に電気接続されている。この結果として、収差及び集束はライン及びフレーム方向に動的に補正され、銃ピッチ変化はフレーム方向で実行される。
【００３３】
図７に、外側電子ビームの偏差を極めて線図的に示す。図５の設計では、電子ビームは第１の手段１４によって逸らされ、第２の手段１４’によって方向を直される。最初の偏差はクロスオーバーＣＯから比較的離れた距離で生じる。
【００３４】
図６Ａ及び図６Ｂの好適な実施例では、第１の手段１４は２つの手段１４ａ及び１４ｂに分割されている。偏差はクロスオーバーＣＯ付近で生じる。この偏差がクロスオーバーＣＯに近づいて発生する程、画像再現はより良好になる。
【００３５】
図８に、フリーフォール誤差をＶｄｂｆ とＶｆｏｃ との差の関数として示す。直線８１は、図５に線図的に示すような設計に対応し、直線８２及び８３は、図６に線図的に示すような設計に対応し、その差は主レンズ電極に対するわずかに異なる形態である。図８は、直線８１よりも直線８２及び８３のほうがフリーフォール誤差はかなり少ないことを明確に示している。
【００３６】
補償の効果を生じさせるためにＶｄｂｆ とＶｆｏｃ との電位差と、Ｖｄａｆ とＶｆｏｃ との電位差との関係を調べた実験の結果を図９に示す。これらの実験では、これらの電位差の直線性を調べた。直線性があれば（Ｖｄｂｆ −Ｖｆｏｃ ＝定数×（Ｖｄａｆ −Ｖｆｏｃ ））、このことは、良好な結果を得るために同一の動的電圧を実際に用いうるということを意味する。第１次近似では、この定数は孔のずれの関数であり、従って、直線関係があれば、定数が１となるようにずれを調節することができる。２つの電位差の間の直線関係から偏差は、ＦＦＥの良好な補償を狭い動的範囲で得ることができるが、この範囲が増大すると、最適な補償が生じなくなるということを示している。直線９１は図８の直線８１に対応し、直線９２及び９３はそれぞれ直線８２及び８３に対応する。前述したように、直線９１の場合、Ｖｄａｆ −Ｖｆｏｃ の高電位差は、Ｖｄｂｆ −Ｖｆｏｃ によって導入されるＦＦＥの補償を必要とする。動的電圧の代表的な範囲は±１キロボルトである。この範囲内で、直線９１の直線性は１５〜２０％以内でほぼ良好であり、一方、直線９２及び９３の場合、直線性は約５〜１０％以内で良好である。このことは、１つの動的電圧Ｖｄｙｎ （すなわちＶｄｙｎ ＝Ｖｄｂｆ −Ｖｆｏｃ ＝Ｖｄａｆ −Ｖｆｏｃ ）を双方の実施例で用いることができるが、より良好な結果は好適な実施例（図６、請求項２）で得られるということを意味する。
本発明の範囲内で多くの変形が可能であること明らかである。
【図面の簡単な説明】
【図１】本発明を線図的に示した表示装置の断面図である。
【図２】カラー表示装置の断面図であって、本発明が多くの認識に基づいていることを線図的に示す。
【図３】カラー表示装置の断面図であって、本発明が多くの認識に基づいていることを線図的に示す。
【図４】銃ピッチと、スクリーンピッチＰｓｃと、偏向面及びスクリーン間の距離Ｌと、シャドーマスク及びスクリーン間の距離ｑとの関係を示す。
【図５】本発明による表示装置用電子銃を示す。
【図６Ａ】本発明による表示装置の好適な実施例を示す。
【図６Ｂ】本発明による表示装置の他の好適な実施例を示す。
【図７】第１手段を２つの副手段に分割した場合の効果を示す。
【図８】フリーフォール誤差とＶｄｂｆ −Ｖｆｏｃ との関係を線図的に示す。
【図９】Ｖｄｂｆ −Ｖｆｏｃ とＶｄａｆ −Ｖｆｏｃ との関係を線図的に示す。
【国際公開パンフレット】
2004516620.tif 000003
2004516620.tif 000004
2004516620.tif 000005
2004516620.tif 000006
2004516620.tif 000007
2004516620.tif 000008
2004516620.tif 000009
2004516620.tif 000010
2004516620.tif 000011
2004516620.tif 000012
2004516620.tif 000013
2004516620.tif 000014
2004516620.tif 000015
2004516620.tif 000016
2004516620.tif 000017
2004516620.tif 000018
2004516620.tif 000019
2004516620.tif 000020
2004516620.tif 000021
2004516620.tif 000022
2004516620.tif 000023
2004516620.tif 000024
【国際調査報告】
2004516620.tif 000025
2004516620.tif 000026